(57)【要約】【課題】コネクタの解離に適切に対処できる表示パネル駆動装置等を提供する。【解決手段】駆動部１００Ｂを構成する駆動基板１０２，１０３と、制御部１００Ａを構成する制御基板１０１と、制御基板１０１から駆動基板１０２，１０３に向けて、着脱可能なコネクタＣＮ１，ＣＮ２を介して制御信号を伝送する伝送ラインＬ３，Ｌ６と、を備える。制御基板１０１には、コネクタＣＮ１，ＣＮ２の解離を検知するとともに、コネクタＣＮ１，ＣＮ２の解離が検知された場合にスキャンドライバ２５の動作を停止させる保護回路５０が設けられている。保護回路５０は、コネクタＣＮ１，ＣＮ２に含まれる接続端子の切り離しを検出することにより、コネクタＣＮ１，ＣＮ２の解離を検知する。【選択図】      図４
2004317609.tif 000002
【特許請求の範囲】
【請求項１】
表示パネルを駆動する駆動部と、前記駆動部を制御する制御信号を前記駆動部に向けて出力する制御部と、を備える表示パネル駆動装置において、
前記駆動部を構成する駆動基板と、
前記制御部を構成する制御基板と、
前記制御基板から前記駆動基板に向けて、着脱可能なコネクタを介して前記制御信号を伝送する伝送ラインと、
前記コネクタの解離を検知する検知回路と、
前記検知回路において前記コネクタの解離が検知された場合に前記駆動部を制御する制御回路と、を備え、
前記検知回路は前記コネクタに含まれる接続端子の切り離しを検出することにより前記コネクタの解離を検知することを特徴とする表示パネル駆動装置。
【請求項２】
前記検知回路は前記制御基板に設けられることを特徴とする請求項１に記載の表示パネル駆動装置。
【請求項３】
前記制御回路は、前記検知回路において前記コネクタの解離が検知された場合に前記駆動部の動作を停止させることを特徴とする請求項１または２に記載の表示パネル駆動装置。
【請求項４】
前記表示パネル駆動装置は前記表示パネルとしてのプラズマディスプレイパネルを駆動するものであることを特徴とする請求項１〜３のいずれか１項に記載の表示パネル駆動装置。
【請求項５】
前記制御信号は、前記プラズマディスプレイパネルに設けられた放電セルを発光セルおよび非発光セルのいずれかに設定するために順次表示ラインに与えられる走査パルスを前記駆動部から出力させるための信号であることを特徴とする請求項４に記載の表示パネル駆動装置。
【発明の詳細な説明】
【０００１】
【発明の属する技術分野】
本発明は、表示パネルを駆動する表示パネル駆動装置に関する。
【０００２】
【従来の技術】
表示パネルを駆動する駆動部と、駆動部に向けて制御信号を出力する制御部とを備えた表示パネル駆動装置が知られている。このような表示パネル駆動装置では、駆動部に設けられたスイッチング素子を制御部からの制御信号に基づいてオン／オフ制御することで、表示パネルに所定の駆動パルスを供給している。
【０００３】
【発明が解決しようとする課題】
しかし、実装の都合上、駆動部および制御部が別々の基板を用いて構成される場合があり、この場合には制御信号を着脱可能なコネクタを介して基板間を伝送させる必要がある。そして、コネクタを介して制御信号を伝送する場合、コネクタが外れた状態では駆動部に適切な制御信号が与えられなくなるため、異常な表示状態や駆動部の損傷等を招くおそれがある。
【０００４】
本発明は、上記の事情に鑑みてなされたものであり、コネクタの解離に適切に対処できる表示パネル駆動装置等を提供することを目的とする。
【０００５】
【課題を解決するための手段】
請求項１に記載の表示パネル駆動装置は、表示パネルを駆動する駆動部と、前記駆動部を制御する制御信号を前記駆動部に向けて出力する制御部と、を備える表示パネル駆動装置において、前記駆動部を構成する駆動基板と、前記制御部を構成する制御基板と、前記制御基板から前記駆動基板に向けて、着脱可能なコネクタを介して前記制御信号を伝送する伝送ラインと、前記コネクタの解離を検知する検知回路と、前記検知回路において前記コネクタの解離が検知された場合に前記駆動部を制御する制御回路と、を備え、前記検知回路は前記コネクタに含まれる接続端子の切り離しを検出することにより前記コネクタの解離を検知することを特徴とする。
【０００６】
【発明の実施の形態】
以下、図１〜図７を参照して、本発明による表示パネル駆動装置をプラズマディスプレイパネル駆動装置に適用した一実施形態について説明する。
【０００７】
図１（ａ）はプラズマディスプレイパネル駆動装置１００の構成を示すブロック図、図１（ｂ）はプラズマディスプレイパネル駆動装置１００により駆動されるプラズマディスプレイパネルの構成を示す図、図２は制御部の回路を示す回路図である。
【０００８】
図１（ａ）に示すように、プラズマディスプレイパネル駆動装置１００は、駆動パルスの発生を制御するための制御部１００Ａと、制御部１００Ａからの制御信号に基づいてプラズマディスプレイパネル１０を駆動する駆動部１００Ｂとを備える。
【０００９】
図１（ｂ）に示すように、プラズマディスプレイパネル１０は、互いに平行に設けられた列電極Ｄ１〜Ｄｍと、列電極Ｄ１〜Ｄｍに直交して設けられた行電極Ｘ１〜Ｘｎと、行電極Ｙ１〜Ｙｎとを備える。行電極Ｘ１〜Ｘｎおよび行電極Ｙ１〜Ｙｎは交互に配置され、一対の行電極Ｘｉ（１≦ｉ≦ｎ）および行電極Ｙｉ（１≦ｉ≦ｎ）により第ｉ番目の表示ラインを構成する。列電極Ｄ１〜Ｄｍおよび行電極Ｘ１〜Ｘｎ，Ｙ１〜Ｙｎは、放電ガスを封着するように対向する２枚の基板に、それぞれ形成されており、列電極Ｄ１〜Ｄｍと、一対の行電極Ｘ１〜Ｘｎおよび行電極Ｙ１〜Ｙｎとの交点に表示画素となる放電セルが構成される。
【００１０】
図２に示すように、プラズマディスプレイパネル駆動装置１００の駆動部１００Ｂは、行電極Ｘ１〜Ｘｎを駆動する行電極駆動部２０Ｘと、行電極Ｙ１〜Ｙｎを駆動する行電極駆動部２０Ｙと、列電極Ｄ１〜Ｄｍを駆動する列電極駆動部３０と、を備える。なお、図２では、１つの放電セルを構成する電極を、列電極Ｄ、行電極Ｘおよび行電極Ｙとして示している。
【００１１】
行電極駆動部２０Ｘは、Ｘサステインパルスをプラズマディスプレイパネル１０の行電極Ｘ１〜Ｘｎに同時に印加するサステインドライバ２１と、リセットパルスを発生させるリセットパルス発生回路２２と、を備える。
【００１２】
行電極駆動部２０Ｙは、Ｙサステインパルスをプラズマディスプレイパネル１０の行電極Ｙ１〜Ｙｎに同時に印加するサステインドライバ２３と、リセットパルスを発生させるリセットパルス発生回路２４と、走査パルスを行電極Ｙ１〜Ｙｎに順次印加するスキャンドライバ２５と、を備える。
【００１３】
スキャンドライバ２５は、アース電位に対し電圧−Ｖｏｆｓを発生させる電源Ｂ１と、電源Ｂ１とサステインドライバ２３の出力ラインとを接続する抵抗Ｒ３と、サステインドライバ２３の出力ラインに対して電圧ＶＨを重畳させるフローティング電源Ｂ２と、電源Ｂ２と直列に接続されたスイッチＳ２１およびスイッチＳ２２と、スイッチ２１およびスイッチＳ２２とそれぞれ並列に接続されたダイオードＤ２１およびダイオードＤ２２と、を備える。
【００１４】
列電極駆動部３０は、列電極Ｄ１〜Ｄｍに接続されたアドレスドライバ３１と、アドレスドライバ３１に向けて駆動パルスを供給するアドレス共振電源回路３２と、を備える。
【００１５】
なお、駆動部１００Ｂ各部のスイッチは、制御部１００Ａからの制御信号に応じてスイッチングするスイッチング素子により構成されている。
【００１６】
図３は駆動部１００Ｂを保護するための保護回路を示す回路図である。
【００１７】
図３に示すように、保護回路５０はトランジスタＱ１〜Ｑ２、ダイオードＤ５１〜Ｄ５５、抵抗Ｒ１〜Ｒ１０、フォトカプラＰ１、電源Ｂ５２により構成される。抵抗Ｒ１および抵抗Ｒ２の一端は、それぞれ後述するコネクタＣＮ１およびコネクタＣＮ２に設けられた接続端子を介して後述する駆動基板１０２，１０３のアースラインに接続されている。また、図３における電源Ｂ５１は、制御部１００ＡのＩＣを動作させるための直流電源（５Ｖ）を示しており、保護回路５０はこの直流電源ラインの電圧変動を監視するとともに、コネクタＣＮ１およびコネクタＣＮ２の解離を検知するものである。電源Ｂ５１の供給ラインはコネクタＣＮ１およびコネクタＣＮ２を介して駆動基板１０２，１０３にも接続されており、電源Ｂ５１はスキャンドライバ２５のスイッチＳ２１およびスイッチＳ２２を構成するスイッチング素子の電源としても機能する。なお、保護回路５０の動作については後述する。
【００１８】
図４は、プラズマディスプレイパネル駆動装置１００の実装方法を模式的に示す図である。
【００１９】
図４に示すように、プラズマディスプレイパネル駆動装置１００は、主として制御部１００Ａ（図１）が実装された制御基板１０１と、駆動部１００Ｂのスキャンドライバ２５（図１）等が実装された駆動基板１０２および駆動基板１０３と、を含んで構成される。図４に示すように、制御基板１０１と駆動基板１０２とは伝送ラインＬ１〜Ｌ３を介して接続される。また、制御基板１０１と駆動基板１０３とは伝送ラインＬ４〜Ｌ６を介して接続される。また、図３に示した保護回路５０は、制御基板１０１に実装されている。
【００２０】
また図４に示すように、制御基板１０１にはスキャンドライバ２５の各スイッチを制御するための制御信号を生成するスキャンドライバスイッチ制御部６０が実装されている。スキャンドライバスイッチ制御部６０は制御部１００Ａに含まれる。
【００２１】
制御基板１０１および駆動基板１０２を接続する伝送ラインＬ１では、制御基板１０１および駆動基板１０２にそれぞれ形成された接続端子を向かい合わせに圧着あるいは接着することで基板間の導通状態を獲得している。また、制御基板１０１および駆動基板１０３を接続する伝送ラインＬ４では、制御基板１０１および駆動基板１０３にそれぞれ形成された接続端子を向かい合わせに圧着あるいは接着することで基板間の導通状態を獲得している。
【００２２】
一方、制御基板１０１および駆動基板１０２を接続する伝送ラインＬ２および伝送ラインＬ３は着脱可能なコネクタＣＮ１を含んで構成されている。また、制御基板１０１および駆動基板１０３を接続する伝送ラインＬ４および伝送ラインＬ５は着脱可能なコネクタＣＮ２を含んで構成されている。図３および図４に示すように、コネクタＣＮ１を介して接続される伝送ラインＬ２は、保護回路５０と駆動基板１０２のアースラインとを接続するラインである。また、コネクタＣＮ２を介して接続される伝送ラインＬ５は、保護回路５０と駆動基板１０３のアースラインとを接続するラインである。コネクタＣＮ１が正常な接続状態にあるとき、コネクタＣＮ１に設けられた接続端子を含む伝送ラインＬ２により、保護回路５０と駆動基板１０２のアースラインとが相互に接続される。また、コネクタＣＮ２が正常な接続状態にあるとき、コネクタＣＮ２に設けられた接続端子を含む伝送ラインＬ５により、保護回路５０と駆動基板１０３のアースラインとが相互に接続される。
【００２３】
図４に示すように、制御基板１０１に実装されたスキャンドライバスイッチ制御部６０から出力される制御信号は、コネクタＣＮ１により接続される伝送ラインＬ３を介して駆動基板１０２に実装されたスキャンドライバ２５に伝送されるとともに、コネクタＣＮ２により接続される伝送ラインＬ６を介して駆動基板１０３に実装されたスキャンドライバ２５に伝送される。スキャンドライバスイッチ制御部６０から出力される制御信号は、スキャンドライバ２５のスイッチＳ２１およびスイッチＳ２２を切り換えるための制御信号を含んでいる。
【００２４】
このように、プラズマディスプレイパネル駆動装置１００では、スキャンドライバ２５に与えられる制御信号、すなわちスイッチＳ２１およびスイッチＳ２２（図２）のオン／オフを制御する制御信号をコネクタＣＮ１およびコネクタＣＮ２を介して伝送している。このため、コネクタＣＮ１あるいはコネクタＣＮ２が外れている場合には、制御基板１０１から駆動基板１０２あるいは駆動基板１０３に向けて、これらの制御信号が伝送されない状態となる。また上記のように、電源Ｂ５１の供給ラインはコネクタＣＮ１およびＣＮ２を介して駆動基板１０２，１０３にも接続され、電源Ｂ５１はスキャンドライバ２５のスイッチＳ２１およびスイッチＳ２２を動作させる電源として機能している。このため、コネクタＣＮ１およびコネクタＣＮ２が外れてこの電源Ｂ５１の供給が断たれると、スイッチＳ２１およびスイッチＳ２２が機能しなくなる。
【００２５】
そこで、本実施形態では、コネクタＣＮ１あるいはコネクタＣＮ２が外れている場合には、保護回路５０によって適切な動作を担保するようにしているが、この点については後述する。
【００２６】
次に、本実施形態のプラズマディスプレイパネル駆動装置１００の動作について説明する。
【００２７】
プラズマディスプレイパネル１０を駆動する期間としての１フィールドは、複数のサブフィールドＳＦ１〜ＳＦＮにより構成される。図５に示すように、各サブフィールドには、点灯させる放電セルを選択するアドレス期間と、そのアドレス期間において選択されたセルを所定時間点灯させ続けるサステイン期間とが設けられている。また、最初のサブフィールドであるＳＦ１の先頭部分には、前のフィールドでの点灯状態をリセットするためのリセット期間が設けられている。このリセット期間では、すべてのセルを発光セル（壁電荷が形成されているセル）に、または非発光セル（壁電荷が形成されていないセル）にリセットする。前者の場合には、後続のアドレス期間において所定のセルを非発光セルに切り換え、後者の場合には、後続のアドレス期間において所定のセルを発光セルに切り換える。サステイン期間はサブフィールドＳＦ１〜ＳＦＮの順に段階的に長くされており、点灯させ続けるサブフィールドの個数を変化させることにより、所定の階調表示が可能とされている。
【００２８】
図６に示す各サブフィールドのアドレス期間では、１ラインごとにアドレス走査が行われる。すなわち、第１のラインを構成する行電極Ｙ１に走査パルスが印加されると同時に、列電極Ｄ１〜Ｄｍに第１のラインのセルに対応するアドレスデータに応じたデータパルスＤＰ１が印加され、次に第２のラインを構成する行電極Ｙ２に走査パルスが印加されると同時に、列電極Ｄ１〜Ｄｍに第２のセルに対応するアドレスデータに応じたデータパルスＤＰ２が印加される。第３のライン以下についても同様に走査パルスおよびデータパルスＤ３が同時に印加される。最後に、第ｎのラインを構成する行電極Ｙｎに走査パルスが印加されると同時に、列電極Ｄ１〜Ｄｍに第ｎのラインのセルに対応するアドレスデータに応じたデータパルスＤＰｎが印加される。上記のようにアドレス期間では、所定のセルを発光セルから非発光セルに、または非発光セルから発光セルに切り換える。
【００２９】
このようにしてアドレス走査が終了すると、サブフィールドにおけるすべてのセルが、それぞれ発光セルあるいは非発光セルのいずれかに設定されており、次のサステイン期間においてサステインパルスが印加されるごとに発光セルのみ発光を繰り返す。図６に示すように、サステイン期間では行電極Ｘ１〜Ｘｎおよび行電極Ｙ１〜Ｙｎに対し、ＸサステインパルスおよびＹサステインパルスが、それぞれ所定のタイミングで繰り返し印加される。そして、最後のサブフィールドＳＦＮには、全セルを非発光セルに設定する消去期間が設けられている。
【００３０】
次に、図７を参照して、本実施形態のプラズマディスプレイパネル駆動装置１００において駆動パルスを発生させる際の動作について説明する。なお、図７では、リセット期間においてすべての放電セルを発光セルにリセットする例を示す。
【００３１】
プラズマディスプレイパネル駆動装置１００では、図２に示す駆動部１００Ｂ各部のスイッチを制御部１００Ａからの信号に基づいて所定のタイミングで切り換えることにより、駆動パルスを発生させる。以下に説明する各スイッチの切り替え制御は、制御部１００Ａからの制御信号に基づいて実行される。
【００３２】
図７に示すように、リセット期間では、リセットパルス発生回路２２のリセットスイッチＳＸ−Ｒおよびリセットパルス発生回路２４のリセットスイッチＳＹ−Ｒを同時に所定時間オンする。
【００３３】
これにより、行電極Ｘ１〜Ｘｎおよび行電極Ｙ１〜Ｙｎに図７に示すような形状のリセットパルスＲＰｘ，ＲＰｙが印加され、すべての放電セルに壁電荷が形成されて、全放電セルが発光セルにリセットされる。
【００３４】
図７に示すように、リセットスイッチＳＸ−ＲおよびリセットスイッチＳＹ−Ｒがオフすると、サステインドライバ２１のスイッチＳＸ−Ｇおよびサステインドライバ２３のスイッチＳＹ−Ｇがオンし、行電極Ｘ１〜Ｘｎおよび行電極Ｙ１〜Ｙｎの電位はアース電位に固定される（図２）。
【００３５】
以上のリセット期間において、すべての放電セルが発光セルにリセットされた状態となる。
【００３６】
次に、アドレス期間では、スキャンドライバ２５のスイッチＳＹ−ｏｆｓがオンし、抵抗Ｒ３を介してサステインドライバ２３の出力ラインを−Ｖｏｆｓの電位に接続する。また、サステインドライバ２５のスイッチ２１をオフ→オン→オフの順序で、サステインドライバ２５のスイッチ２２をオン→オフ→オンの順序で、同期して切り換える（図２）。これにより、行電極Ｙｉの電位は「−Ｖｏｆｓ＋ＶＨ」→「−Ｖｏｆｓ」→「−Ｖｏｆｓ＋ＶＨ」の順序で変化する（図７）。すなわち、アドレス期間では、このような走査パルスＳＰが各行電極Ｙｉに順次印加されることになる。
【００３７】
一方、アドレスドライバ３１およびアドレス共振電源回路３２の各スイッチを順次切り換えることにより、行電極Ｙｉの電位が「−Ｖｏｆｓ」に低下するタイミングに合わせて列電極Ｄ１〜Ｄｍにデータパルスを印加する。
【００３８】
具体的には、図７に示すようにデータパルスＤＰをアドレス共振電源回路３２から出力する間、アドレスドライバ３１のスイッチＳ３１をオン、スイッチＳ３２をオフすることにより、アドレス共振電源回路３２の出力を列電極Ｄ１〜Ｄｍに接続する。
【００３９】
また、アドレス共振電源回路３２の出力が列電極Ｄ１〜Ｄｍに接続されている間、アドレス共振電源回路３２ではデータパルスＤＰを発生させる。すなわち、アドレス共振電源回路３２では、最初にスイッチＳＡ−Ｕをオンする。これにより、コンデンサＣ５に蓄積されていた電荷に基づく電流がコイルＬ９、ダイオードＤ９、スイッチＳＡ−ＵおよびスイッチＳ３１を介して列電極Ｄに流れ込み、列電極Ｄの電圧は徐々に上昇する。次にスイッチＳＡ−Ｂをオンすることにより、列電極Ｄの電圧が電圧ＶＡに固定される。次に、スイッチＳＡ−ＵおよびスイッチＳＡ−ＢをオフするとともにスイッチＳＡ−Ｄをオンする。これにより、放電セルに蓄積されていた電荷に基づく電流がスイッチＳ３１、コイルＬ１０、ダイオードＤ１０およびスイッチＳＡ−Ｄを介してコンデンサＣ５に流れ込む。このため、列電極Ｄの電位が徐々に下降する。最後にスイッチＳＡ−Ｄをオフするとともに、アドレスドライバ３１のスイッチＳ３１をオフ、スイッチＳ３２をオンする。これにより列電極Ｄがアドレス共振電源回路３２から切り離されて接地され、列電極Ｄの電位が０Ｖに固定される。
【００４０】
このように、スキャンドライバ２５による走査パルスＳＰのタイミングに合わせてデータパルスＤＰが与えられた放電セルが、選択的に非発光セルに設定される。
【００４１】
次に、サステイン期間では、サステインドライバ２１およびサステインドライバ２３において、ＸサステインパルスおよびＹサステインパルスをそれぞれ発生させる。
【００４２】
図７に示すように、サステインドライバ２１では、スイッチＳＸ−Ｕ１をオン、スイッチＳＸ−Ｄ１、スイッチＳＸ−Ｄ２およびスイッチＳＸ−Ｇをそれぞれオフする。この結果、スイッチＳＸ−Ｕ１のみがオンした状態となる。このため、コンデンサＣ３に蓄積されていた電荷に基づく電流が、コイルＬ５、ダイオードＤ５、スイッチＳＸ−Ｕ１および行電極Ｘを介して放電セルの行電極の電極間容量Ｃｐに流れ込むため、行電極Ｘの電位が上昇する。次に、スイッチＳＸ−Ｕ２をオンすると、コンデンサＣ４に蓄積されていた電荷に基づく電流が、コイルＬ７、ダイオードＤ７およびスイッチＳＸ−Ｕ２を介して行電極Ｘに流れ込み行電極Ｘの電位がさらに上昇する。次に、スイッチＳＸ−Ｂをオンすることにより、行電極Ｘの電位をＶｓに固定する。次に、スイッチＳＸ−Ｕ１、スイッチＳＸ−Ｕ２およびスイッチＳＸ−Ｂをオフし、スイッチＳＸ−Ｄ２をオンする。この結果、スイッチＳＸ−Ｄ２のみがオンした状態となる。このため、行電極の電極間容量に蓄積されていた電荷に基づく電流が、行電極Ｘ、コイルＬ８、ダイオードＤ８およびスイッチＳＸ−Ｄ２を介してコンデンサＣ４に流れ込むため、行電極Ｘの電位が下降する。次に、スイッチＳＸ−Ｄ１をオンすると、上記電荷に基づく電流が、行電極Ｘ、コイルＬ６、ダイオードＤ６およびスイッチＳＸ−Ｄ１を介してコンデンサＣ３に流れ込むため、行電極Ｘの電位がさらに下降する。最後にスイッチＳＸ−Ｇをオンすることで、行電極Ｘの電位を０Ｖに固定する。
【００４３】
行電極Ｘの電位が０Ｖに固定された後、サステインドライバ２３では、スイッチＳＹ−Ｕ１をオン、スイッチＳＹ−Ｄ１、スイッチＳＹ−Ｄ２およびスイッチＳＹ−Ｇをそれぞれオフする。この結果、スイッチＳＹ−Ｕ１のみがオンした状態となる。このため、コンデンサＣ１に蓄積されていた電荷に基づく電流が、コイルＬ１、ダイオードＤ１、スイッチＳＹ−Ｕ１および行電極Ｙを介して行電極の電極間容量Ｃｐに流れ込むため、行電極Ｙの電位が上昇する。次に、スイッチＳＹ−Ｕ２をオンすると、コンデンサＣ２に蓄積されていた電荷に基づく電流が、コイルＬ３、ダイオードＤ３およびスイッチＳＹ−Ｕ２を介して行電極Ｙに流れ込み行電極Ｙの電位がさらに上昇する。次に、スイッチＳＹ−Ｂをオンすることにより、行電極Ｙの電位をＶｓに固定する。次に、スイッチＳＹ−Ｕ１、スイッチＳＹ−Ｕ２およびスイッチＳＹ−Ｂをオフし、スイッチＳＹ−Ｄ２をオンする。この結果、スイッチＳＹ−Ｄ２のみがオンした状態となる。このため、行電極の電極間容量に蓄積されていた電荷に基づく電流が、行電極Ｙ、コイルＬ４、ダイオードＤ４およびスイッチＳＹ−Ｄ２を介してコンデンサＣ２に流れ込むため、行電極Ｙの電位が下降する。次に、スイッチＳＹ−Ｄ１をオンすると、上記電荷に基づく電流が、行電極Ｙ、コイルＬ２、ダイオードＤ２およびスイッチＳＹ−Ｄ１を介してコンデンサＣ１に流れ込むため、行電極Ｙの電位がさらに下降する。最後にスイッチＳＹ−Ｇをオンすることで、行電極Ｙの電位を０Ｖに固定する。
【００４４】
以上の動作を繰り返すことにより、図７に示すような波形のＸサステインパルスＩＰｘおよびＹサステインパルスＩＰｙを交互に発生させ、アドレス期間において選択された放電セル、すなわち発光セルのみを所定回数発光させる。
【００４５】
次に、保護回路５０（図３）の動作について説明する。
【００４６】
保護回路５０は制御基板１０１に配置された制御部１００Ａに設けられるマイコンのＩＣ等を動作させるとともに、スキャンドライバ２５のスイッチＳ２１およびスイッチＳ２２を動作させるための電源Ｂ５１の電源電圧を監視する機能を備える。また、保護回路５０はコネクタＣＮ１およびコネクタＣＮ２の解離を検出する機能をも備える。
【００４７】
図３に示すように、保護回路５０は検出信号Ａおよび検出信号Ｂの２つの検出信号を出力する。検出信号Ａは制御部１００Ａに与えられ、異常検出時に制御部１００Ａにおける制御信号の生成動作を停止させる。また、検出信号Ｂは駆動部１００Ｂの各スイッチを制御するための制御信号を伝送する中継回路に与えられ、制御信号の伝送を制御する。
【００４８】
より具体的には、本実施形態では、保護回路５０から出力される検出信号Ａによりプラズマディスプレイパネル駆動装置１００全体の電源をオフすることで制御信号の生成を停止させている。検出信号Ａによりオフされる電源には、制御部１００Ａを構成するマイコンなど、おおもとの制御信号の生成を実行するブロックに供給される電源Ｂ５１が含まれる。また、保護回路５０から出力される検出信号Ｂは上記中継回路に与えられ、制御信号の伝送を停止させる。
【００４９】
本実施形態では、検出信号Ａによってプラズマディスプレイパネル駆動装置１００全体の電源をオフすることで、最終的には駆動部１００Ｂを保護できる状態となる。しかし、各部の電源電圧の低下により完全なオフ状態に至るまでの遷移期間では、駆動部１００Ｂが異常な制御信号に従って動作する可能性があり、回路素子などを破損させるおそれがある。とくに、高い電圧を扱うスキャンドライバ２５の動作異常によって、遷移期間に回路の損傷が発生するおそれがある。このため本実施形態では、プラズマディスプレイパネル駆動装置１００全体の電源がオフされたことを速やかに検出し、検出信号Ｂにより制御信号の伝送を瞬時に停止させるとともにスキャンドライバ２５のスイッチＳ２１をオン状態、スイッチＳ２２をオフ状態に設定している。
【００５０】
以下、正常な場合および異常が発生した場合の各動作について説明する。
【００５１】
コネクタＣＮ１およびコネクタＣＮ２が接続状態にあり、かつ電源Ｂ５１の電源ラインの電圧が適正範囲にあるとき、すなわち、正常な動作状態が確保されているとき、トランジスタＱ１はオフ状態に、トランジスタＱ２はオン状態にある。したがって、Ｑ２のコレクタ−エミッタ間の導通により、抵抗Ｒ５を介してフォトカプラＰ１のフォトダイオードＰＤに電流が流れ、フォトカプラＰ１の出力トランジスタＰＴはオン状態となる。したがって、保護回路５０から出力される検出信号Ａは約０Ｖ（Ｌ）となる。また、トランジスタＱ２がオン状態にあるため、検出信号Ｂは約０Ｖ（Ｌ）となる。
【００５２】
次に、電源Ｂ５１の電源ラインの電圧が異常に低下した場合には、抵抗Ｒ６およびツェナーダイオードＤ５４と直列に接続された抵抗Ｒ７の両端子間の電圧が低下してトランジスタＱ２のベース電位が低下し、トランジスタＱ２がオフするため、フォトカプラＰ１のフォトダイオードＰＤへの電流が遮断される。このため、フォトカプラＰ１の出力トランジスタＰＴはオフ状態となり、プルアップ抵抗Ｒ９によって保護回路５０から出力される検出信号Ａの電圧は上昇する。したがって、保護回路５０から出力される検出信号Ａは正電位（Ｈ）となる。また、トランジスタＱ２がオフしているため、検出信号Ｂは正電位（Ｈ）となる。
【００５３】
この場合には、検出信号Ａが正電位（Ｈ）に遷移したことを受けてプラズマディスプレイパネル駆動装置１００全体の電源がオフされる。また、これと同時に検出信号Ｂが正電位（Ｈ）に遷移したことを受けて制御信号の伝送が停止され、スキャンドライバ２５のスイッチＳ２１がオン状態に、スイッチＳ２２がオフ状態に設定される。したがって、駆動部１００Ｂを確実に保護することができる。
【００５４】
本実施形態では、電源Ｂ５１の電源ラインの電圧低下が検出された時点では、制御部１００Ａから正常な制御信号が出力されるように検出値が設定されている。このため、スキャンドライバ２５に異常な制御信号が与えられる前に、制御信号の伝送が停止されるとともにスキャンドライバ２５のスイッチが所定の状態に強制的に設定されることになるため、駆動部１００Ｂを確実に保護することができる。
【００５５】
なお、上記の動作は、プラズマディスプレイパネル駆動装置１００の電源を手動でオフした場合についても対応しており、電源をオフした直後における駆動部１００Ｂの損傷を確実に防止できる。
【００５６】
一方、電源Ｂ５１の電源ラインの電圧が異常に上昇した場合には、ツェナーダイオードＤ５３および抵抗Ｒ３と直列に接続された抵抗Ｒ４の両端子間の電圧が上昇し、トランジスタＱ１のベース電位が上昇するため、トランジスタＱ１がオンする。このため、フォトダイオードＰＤのアノードがアース電位に固定されてフォトカプラＰ１のフォトダイオードＰＤへの電流が遮断される。この結果、フォトカプラＰ１の出力トランジスタＰＴはオフ状態となり、プルアップ抵抗Ｒ９によって保護回路５０から出力される検出信号Ａの電圧は上昇する。したがって、保護回路５０から出力される検出信号Ａは正電位となる。ただし、この時点ではトランジスタＱ２はオンしており、検出信号Ｂの電位は約０Ｖ（Ｌ）である。
【００５７】
この場合には、検出信号Ａが正電位（Ｈ）に遷移したことを受けてプラズマディスプレイパネル駆動装置１００全体の電源がオフされる。
【００５８】
次に、電源Ｂ５１の電源ラインの電圧は正常であるが、コネクタＣＮ１が外れている場合には、抵抗Ｒ１が駆動基板１０２のアースラインから切り離される。これにより、プルアップ抵抗Ｒ１およびダイオードＤ５１を介して抵抗Ｒ３および抵抗Ｒ４に電流が流れ込み、抵抗Ｒ４の両端子間電圧が上昇してトランジスタＱ１のベース電位が上昇するため、トランジスタＱ１がオンする。このため、フォトダイオードＰＤのアノードがアース電位に固定されてフォトダイオードＰＤへの電流が遮断される。この結果、フォトカプラＰ１の出力トランジスタＰＴはオフ状態となり、プルアップ抵抗Ｒ９によって保護回路５０から出力される検出信号の電圧は上昇する。したがって、保護回路５０から出力される検出信号Ａは正電位（Ｈ）となる。ただし、この時点ではトランジスタＱ２はオンしており、検出信号Ｂの電位は約０Ｖ（Ｌ）である。
【００５９】
この場合には、検出信号Ａが正電位（Ｈ）に遷移したことを受けてプラズマディスプレイパネル駆動装置１００全体の電源がオフされる。
【００６０】
次に、電源Ｂ５１の電源ラインの電圧は正常であるが、コネクタＣＮ２が外れている場合には、抵抗Ｒ２が駆動基板１０３のアースラインから切り離される。これにより、プルアップ抵抗Ｒ２およびダイオードＤ５２を介して抵抗Ｒ３および抵抗Ｒ４に電流が流れ込み、抵抗Ｒ４の両端子間電圧が上昇してトランジスタＱ１のベース電位が上昇するため、トランジスタＱ１がオンする。このため、フォトダイオードＰＤのアノードがアース電位に固定されてフォトカプラＰ１のフォトダイオードＰＤへの電流が遮断される。この結果、フォトカプラＰ１の出力トランジスタＰＴはオフ状態となり、プルアップ抵抗Ｒ９によって保護回路５０から出力される検出信号の電圧は上昇する。したがって、保護回路５０から出力される検出信号Ａは正電位となる。ただし、この時点ではトランジスタＱ２はオンしており、検出信号Ｂの電位は約０Ｖ（Ｌ）である。
【００６１】
この場合には、検出信号Ａが正電位（Ｈ）に遷移したことを受けてプラズマディスプレイパネル駆動装置１００全体の電源がオフされる。
【００６２】
本実施形態では、保護回路５０から出力された検出信号Ａが正電位（Ｈ）となったとき、すなわちコネクタＣＮ１あるいはコネクタＣＮ２の解離が検知されたときには、プラズマディスプレイパネル駆動装置１００Ａ全体の電源がオフされる。また、検出信号Ｂが正電位（Ｈ）に遷移することにより、制御信号の伝送が停止されるとともに、スキャンドライバ２５のスイッチＳ２１およびスイッチＳ２２が所定の状態に強制的に設定される。このため、駆動部１００Ｂの損傷等を確実に防止できる。
【００６３】
以上説明したように、本実施形態の表示パネル駆動装置１００は、駆動部１００Ｂを構成する駆動基板１０２，１０３と、制御部１００Ａを構成する制御基板１０１と、制御基板１０１から駆動基板１０２，１０３に向けて、着脱可能なコネクタＣＮ１，ＣＮ２を介して制御信号を伝送する伝送ラインＬ３，Ｌ６と、コネクタＣＮ１，ＣＮ２の解離を検知するとともに、コネクタＣＮ１，ＣＮ２の解離が検知された場合に駆動部１００Ｂを制御する保護回路５０と、を備え、保護回路５０はコネクタＣＮ１，ＣＮ２に含まれる接続端子の切り離しを検出することによりコネクタＣＮ１，ＣＮ２の解離を検知する。
【００６４】
したがって、コネクタＣＮ１，ＣＮ２の解離により伝送ラインＬ３，Ｌ６を介して制御信号が正常に伝送できなくなった場合に、保護回路５０によって駆動部１００Ｂを適切に制御することができる。このため、異常な制御信号に基づく異常な表示状態や駆動部１００Ｂの損傷等を確実に防止できる。
【００６５】
上記実施形態では、異常検出時に、プラズマディスプレイパネル駆動装置１００全体の電源をオフとともにスキャンドライバ２５の動作を停止させる例について説明したが、異常検出時の動作はこれに限定されない。また、本発明による表示パネル駆動装置は、プラズマディスプレイパネル以外の表示パネルを駆動するための装置についても広く適用できる。
【００６６】
なお、上記実施形態および特許請求の範囲の記載について、駆動部１００Ｂおよびスキャンドライバ２５が「駆動部」に、スキャンドライバスイッチ制御部６０および制御部１００Ａが「制御部」に、駆動基板１０２，１０３が「駆動基板」に、制御基板１０１が「制御基板」に、保護回路５０が「検知回路」および「制御回路」に、コネクタＣＮ１，ＣＮ２が「コネクタ」に、伝送ラインＬ３，Ｌ６が「伝送ライン」に、それぞれ対応する。
【図面の簡単な説明】
【図１】本実施形態の表示パネル駆動装置およびプラズマディスプレイパネルの構成を示す図であり、（ａ）はプラズマディスプレイパネル駆動装置の構成を示すブロック図、（ｂ）はプラズマディスプレイパネルの構成を示す図。
【図２】制御部の回路を示す回路図。
【図３】駆動部１００Ｂを保護するための保護回路を示す回路図。
【図４】プラズマディスプレイパネル駆動装置１００の実装方法を模式的に示す図。
【図５】１フィールドの構成を示す図。
【図６】１サブフィールド内の駆動パルスを示す図。
【図７】駆動パルスを発生させるための動作を示すタイミングチャート。
【符号の説明】
２５    スキャンドライバ（駆動部）
５０    保護回路（検知回路、制御回路）
６０    スキャンドライバスイッチ制御部（制御部）
１００Ａ  制御部
１００Ｂ  駆動部
１０１  制御基板
１０２  駆動基板
１０３  駆動基板
ＣＮ１、ＣＮ２  コネクタ
Ｌ３、Ｌ６  伝送ライン
【図１】
2004317609.tif 000003
【図２】
2004317609.tif 000004
【図３】
2004317609.tif 000005
【図４】
2004317609.tif 000006
【図５】
2004317609.tif 000007
【図６】
2004317609.tif 000008
【図７】
2004317609.tif 000009